【手続補正書】
【提出日】平成27年12月17日(2015.12.17)
【手続補正１】
【補正対象書類名】特許請求の範囲
【補正対象項目名】全文
【補正方法】変更
【補正の内容】
【特許請求の範囲】
【請求項１】
ｎ個の画像を含む画像コレクション中の画像を自動的に分類する方法であって、
初期化ステップにおいて、類似性のユーザ認知に応じて、変形画像を画像セットに分類するステップであって、前記変形画像は同じ基準画像に基づき、前記変形画像の各々は前記基準画像に対して異なるフィンガープリント距離を有するステップと、フィンガープリント距離ゾーン内の前記画像セットの境界を定める少なくとも１つのフィンガープリント距離閾値を決定するステップとを有し、
前記画像コレクション中の画像の自動的分類をするステップにおいて、前記画像コレクション中の各画像ｉに対して、前記画像コレクション中の前記画像ｉと他のｎ−１個の画像の各々との間のフィンガープリント距離を決定するステップと、前記決定されたフィンガープリント距離により、前記フィンガープリント距離ゾーンの１つに、前記他のｎ−１個の画像の各々を分類するステップとを有する、方法。
【請求項２】
前記方法は、前記決定されたフィンガープリント距離ゾーンの各々に動作を関連付けるステップと、前記フィンガープリント距離ゾーンの１つに分離された各画像のフィンガープリント距離ゾーンに関連付けられた動作を実行するステップとを有する、
請求項１に記載の方法。
【請求項３】
前記少なくとも１つのフィンガープリント距離閾値は、少なくとも第１のフィンガープリント距離閾値と少なくとも第２のフィンガープリント距離閾値とを含み、前記第１のフィンガープリント距離閾値は、第１のフィンガープリント距離ゾーンの境界を定め、その内側に、ユーザが同一画像セット及び小修正画像セットに分類した一組の変形画像があり、前記第２のフィンガープリント距離閾値は、第２のフィンガープリント距離ゾーンの境界を定め、その内側かつ前記第１のフィンガープリント距離ゾーンの外側に、前記ユーザが大修正画像セットに分類した変形画像があり、前記第２のフィンガープリント距離ゾーンの外側に、前記ユーザが異なる画像セットに分類した変形画像がある、請求項１または２に記載の方法。
【請求項４】
画像が前記フィンガープリント距離ゾーンのどれに入るか決定するのに用いるフィンガープリント距離決定方法を、第３のフィンガープリント距離閾値であって、フィンガープリント距離ゾーンを決定し、その内側では第１のフィンガープリント決定方法が使うべきであり、その外側では第２のフィンガープリント決定方法を使うことができる第３のフィンガープリント距離閾値の位置に対する前記第１のフィンガープリント距離閾値と第２のフィンガープリント距離閾値の位置の関数として決定するステップをさらに有する、請求項３に記載の方法。
【請求項５】
前記第１のフィンガープリント決定方法はローカルアプローチによるものであり、前記第２のフィンガープリント決定方法はグローバルアプローチによるものである、請求項４に記載の方法。
【請求項６】
前記フィンガープリント距離はフィンガープリント間のユークリッド距離により決まる、請求項１ないし５いずれか一項に記載の方法。
【請求項７】
類似性のユーザ認知に応じて、変形画像を画像セットに分類する手段であって、前記変形画像は同じ基準画像に基づき、前記変形画像の各々は前記基準画像に対して異なるフィンガープリント距離を有する手段と、フィンガープリント距離ゾーン内の前記決定された画像セットの境界を定める少なくとも１つのフィンガープリント距離閾値を決定する手段と、
画像コレクション中の各画像ｉに対して、前記画像コレクション中の前記画像ｉと他のｎ−１個の画像の各々との間のフィンガープリント距離を決定する手段と、前記決定されたフィンガープリント距離により、前記フィンガープリント距離ゾーンの１つに、前記他のｎ−１個の画像の各々を分類する手段とを有することを特徴とする画像管理装置。
【請求項８】
前記決定されたフィンガープリント距離ゾーンの各々に動作を関連付ける手段と、前記フィンガープリント距離ゾーンの１つに分離された各画像のフィンガープリント距離ゾーンに関連付けられた動作を実行する手段とをさらに有する、請求項７に記載の装置。
【手続補正２】
【補正対象書類名】明細書
【補正対象項目名】００６２
【補正方法】変更
【補正の内容】
【００６２】
本発明の方法は、特許文献１に記載されているようにメタデータタグの関連付けにより、画像コレクションの自動的管理をする方法で有利に用いることができる。図１を参照して説明したように、本発明の方法により、特許文献１により後で利用できる、どのメタデータタグを画像コレクションのどの画像に関連付け、メタデータタグのタイプの関数として動作を関連付けるか決定する、閾値を設定できる。
実施形態について、次の付記を記す。
（付記１）  ｎ個の画像を含む画像コレクション中の画像を自動的に分類する方法であって、
初期化ステップにおいて、類似性のユーザ認知に応じて、変形画像を画像セットに分類するステップであって、前記変形画像は同じ基準画像に基づき、前記変形画像の各々は前記基準画像に対して異なるフィンガープリント距離を有するステップと、フィンガープリント距離ゾーン内の前記画像セットの境界を定める少なくとも１つのフィンガープリント距離閾値を決定するステップとを有し、
前記画像コレクション中の画像の自動的分類をするステップにおいて、前記画像コレクション中の各画像ｉに対して、前記画像コレクション中の前記画像ｉと他のｎ−１個の画像の各々との間のフィンガープリント距離を決定するステップと、前記決定されたフィンガープリント距離により、前記フィンガープリント距離ゾーンの１つに、前記他のｎ−１個の画像の各々を分類するステップとを有する、方法。
（付記２）  前記方法は、前記決定されたフィンガープリント距離ゾーンの各々に動作を関連付けるステップと、前記フィンガープリント距離ゾーンの１つに分離された各画像のフィンガープリント距離ゾーンに関連付けられた動作を実行するステップとを有する、
付記１に記載の方法。
（付記３）  前記少なくとも１つのフィンガープリント距離閾値は、少なくとも第１のフィンガープリント距離閾値と少なくとも第２のフィンガープリント距離閾値とを含み、前記第１のフィンガープリント距離閾値は、第１のフィンガープリント距離ゾーンの境界を定め、その内側に、ユーザが同一画像セット及び小修正画像セットに分類した一組の変形画像があり、前記第２のフィンガープリント距離閾値は、第２のフィンガープリント距離ゾーンの境界を定め、その内側かつ前記第１のフィンガープリント距離ゾーンの外側に、前記ユーザが大修正画像セットに分類した変形画像があり、前記第２のフィンガープリント距離ゾーンの外側に、前記ユーザが異なる画像セットに分類した変形画像がある、付記１または２に記載の方法。
（付記４）  画像が前記フィンガープリント距離ゾーンのどれに入るか決定するのに用いるフィンガープリント距離決定方法を、第３のフィンガープリント距離閾値であって、フィンガープリント距離ゾーンを決定し、その内側では第１のフィンガープリント決定方法が使うべきであり、その外側では第２のフィンガープリント決定方法を使うことができる第３のフィンガープリント距離閾値の位置に対する前記第１のフィンガープリント距離閾値と第２のフィンガープリント距離閾値の位置の関数として決定するステップをさらに有する、付記３に記載の方法。
（付記５）  前記第１のフィンガープリント決定方法はローカルアプローチによるものであり、前記第２のフィンガープリント決定方法はグローバルアプローチによるものである、付記４に記載の方法。
（付記６）  前記フィンガープリント距離はフィンガープリント間のユークリッド距離により決まる、付記１ないし５いずれか一項に記載の方法。
（付記７）  類似性のユーザ認知に応じて、変形画像を画像セットに分類する手段であって、前記変形画像は同じ基準画像に基づき、前記変形画像の各々は前記基準画像に対して異なるフィンガープリント距離を有する手段と、フィンガープリント距離ゾーン内の前記決定された画像セットの境界を定める少なくとも１つのフィンガープリント距離閾値を決定する手段と、
画像コレクション中の各画像ｉに対して、前記画像コレクション中の前記画像ｉと他のｎ−１個の画像の各々との間のフィンガープリント距離を決定する手段と、前記決定されたフィンガープリント距離により、前記フィンガープリント距離ゾーンの１つに、前記他のｎ−１個の画像の各々を分類する手段とを有することを特徴とする画像管理装置。
（付記８）  前記決定されたフィンガープリント距離ゾーンの各々に動作を関連付ける手段と、前記フィンガープリント距離ゾーンの１つに分離された各画像のフィンガープリント距離ゾーンに関連付けられた動作を実行する手段とをさらに有する、付記７に記載の装置。